【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
建設予定地の基礎上に、所定高さに形成された隅柱を建設すべき駐車装置本体の四隅に所定間隔で位置するように立設すると共にその隅柱の上下の中央部に隅柱で囲まれるエリアを囲むように梁を掛け渡して駐車装置本体の最下部を構成する第１ユニットを立設し、その第１ユニットに隣接した地上に所定高さに形成された４本の隅柱を上記第１ユニットと同じ間隔で配置し、その隅柱の上下の中央部に隅柱で囲まれるエリアを囲むように梁を掛け渡すと共にこのエリアの両側の梁に複数の棚柱を設け、これら棚柱に上記エリアの内側に水平に延びる支持フレームを設け、これら支持フレームにレールを掛け渡し、該レール上に車両を載置するためのパレットを走行可能に載置して第２ユニットを組み立て、該第２ユニットの平面形状に対応するように横材と縦材とを矩形枠状に組み立てると共に、横材と縦材の端部間に斜材を掛け渡して吊りビームを作製し、クレーンの索に上記吊りビームの四隅を連結すると共に、該吊りビームの四隅に上記第２ユニットの隅柱を鉛直下方に延びる索を介して連結し、この第２ユニットを上記クレーンで吊り上げると共に上記第１ユニット上にその上下の隅柱が突き合わされるように積み上げ、突き合わされた上下の隅柱同士を連結して建設予定地上にユニット連結体を形成し、しかるのち、上記第２ユニットと同様のユニットを上記地上で組み立てる作業と、このユニットを上記吊りビームを介して吊り上げると共に建設予定地上のユニット連結体上にその上下の隅柱が突き合わされるように積み上げる作業と、突き合わされた上下の隅柱同士を連結する作業とを順次繰り返して駐車装置本体を構築することを特徴とする駐車装置の建設方法。
【請求項２】
クレーンで吊り上げる前の最上段のユニットに、上記パレットを昇降させる昇降用駆動装置を予め設けておく請求項１記載の駐車装置の建設方法。
【手続補正２】
【補正対象書類名】明細書
【補正対象項目名】０００５
【補正方法】変更
【補正の内容】
【０００５】
しかしながら、ユニットをクレーンで吊り上げるとき、図４に示すようにユニット３０の四隅にワイヤ３１を掛け、このワイヤ３１をクレーンの索２３に連結して吊ると、ユニット３０に横力やモーメント等が働き、ユニット３０に変形やねじれを生じる虞があるという課題があった。特に駐車装置の鉄骨においては、一般の建築物と比べて精度が要求される。
【手続補正３】
【補正対象書類名】明細書
【補正対象項目名】０００７
【補正方法】変更
【補正の内容】
【０００７】
上記課題を解決するために本発明は、建設予定地の基礎上に、所定高さに形成された隅柱を建設すべき駐車装置本体の四隅に所定間隔で位置するように立設すると共にその隅柱の上下の中央部に隅柱で囲まれるエリアを囲むように梁を掛け渡して駐車装置本体の最下部を構成する第１ユニットを立設し、その第１ユニットに隣接した地上に所定高さに形成された４本の隅柱を上記第１ユニットと同じ間隔で配置し、その隅柱の上下の中央部に隅柱で囲まれるエリアを囲むように梁を掛け渡すと共にこのエリアの両側の梁に複数の棚柱を設け、これら棚柱に上記エリアの内側に水平に延びる支持フレームを設け、これら支持フレームにレールを掛け渡し、該レール上に車両を載置するためのパレットを走行可能に載置して第２ユニットを組み立て、該第２ユニットの平面形状に対応するように横材と縦材とを矩形枠状に組み立てると共に、横材と縦材の端部間に斜材を掛け渡して吊りビームを作製し、クレーンの索に上記吊りビームの四隅を連結すると共に、該吊りビームの四隅に上記第２ユニットの隅柱を鉛直下方に延びる索を介して連結し、この第２ユニットを上記クレーンで吊り上げると共に上記第１ユニット上にその上下の隅柱が突き合わされるように積み上げ、突き合わされた上下の隅柱同士を連結して建設予定地上にユニット連結体を形成し、しかるのち、上記第２ユニットと同様のユニットを上記地上で組み立てる作業と、このユニットを上記吊りビームを介して吊り上げると共に建設予定地上のユニット連結体上にその上下の隅柱が突き合わされるように積み上げる作業と、突き合わされた上下の隅柱同士を連結する作業とを順次繰り返して駐車装置本体を構築するものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
クレーンで吊り上げる前の最上段のユニットに、上記パレットを昇降させる昇降用駆動装置を予め設けておくとよい。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１６
【補正方法】変更
【補正の内容】
【００１６】
図２（ａ）に示すように、駐車装置１を建設する場合、建設予定地２に図示しない基礎を設置したのち、基礎上に駐車装置本体４の最下部を構成する第１ユニット５を立設すると共に、第１ユニット５と同じ平面形状の第２ユニット６を地上にて組み立てる。第１ユニット５は、４隅の柱７を含む複数の柱７と、四隅の柱７間に前後左右に掛け渡して設けられた複数の梁８とを備えて構成される。柱７と梁８はそれぞれ鉄骨からなる。柱７は所定の長さに形成され、梁８は柱７間に上下に離間して複数設けられる。
【手続補正１０】
【補正対象書類名】明細書
【補正対象項目名】００１７
【補正方法】変更
【補正の内容】
【００１７】
図１に示すように第２ユニット６は、４隅の柱７を含む複数の柱７と、四隅の柱７間に前後左右に掛け渡して設けられた複数の梁８と、車両を格納するための格納棚９と、格納棚９上に車両を載置するためのパレット１１とを備える。具体的には、格納棚９は、第２ユニット６の左右両側に設けられる。また、第２ユニット６の左右両側には、はしご１０等が設けられる。パレット１１は、格納棚９上に載置される。格納棚９は、左右方向に延びる梁８に設けられた複数の棚柱１２と、これら棚柱１２に沿って多段に設けられ水平方向に延びる支持フレーム１３と、これら支持フレーム１３上に多段に掛け渡して設けられパレット１１を走行可能に支持するためのレール１４とからなる。
【手続補正１１】
【補正対象書類名】明細書
【補正対象項目名】００１９
【補正方法】変更
【補正の内容】
【００１９】
このようにして、第２ユニット６が組み立てられ、かつ、吊りビーム１５が作製されたら、クレーンの索２３に吊りビーム１５を連結すると共に、吊りビーム１５に第２ユニット６を鉛直下方に延びる第１玉掛けワイヤ２４を介して連結する。具体的には、吊りビーム１５の四隅に２本の第２玉掛けワイヤ２５をタスキ状（Ｘ字状）に掛け渡すと共にこれら第２玉掛けワイヤ２５をクレーンのフック２６に掛け、第２ユニット６と吊りビーム１５の対向する隅部１６、１７同士を第１玉掛けワイヤ２４を介して連結する。
【手続補正１２】
【補正対象書類名】明細書
【補正対象項目名】００２１
【補正方法】変更
【補正の内容】
【００２１】
第２ユニット６が第１ユニット５上に正確に積み上げられて第１ユニット５の四隅の柱７と第２ユニット６の四隅の柱７とがそれぞれ突き合わされたら、突き合わされた柱７同士を溶接又は添接板（図示せず）を介してボルト締結する等により一体に連結する。また、地上にて第２ユニット６と同様の第３ユニット（図示せず）を柱７の連結作業と並行して組み立てておく。第３ユニットが組み立てられたら、第２ユニット６と同様に第３ユニットを吊りビーム１５を介してクレーンで吊り上げ、第２ユニット６上（第１ユニット５上に第２ユニット６を連結してなるユニット連結体上）に積み上げる。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】変更
【補正の内容】
【００２７】
なお、吊りビーム１５と第２ユニット６等のユニットは、玉掛けワイヤ２４、２５を介してクレーンで吊るものとしたが、玉掛けワイヤ２４、２５に換えてチェーンや他の索を用いてもよいのは勿論である。
【手続補正１６】
【補正対象書類名】明細書
【補正対象項目名】００２９
【補正方法】変更
【補正の内容】
【００２９】
【図１】本発明の好適実施の形態を示すユニットをクレーンで吊り上げる状態を示す斜視図である。
【図２】（ａ）はユニットを複数作製した状態の概略説明図であり、（ｂ）はユニットを積み上げる状態を示す概略説明図である。
【図３】ユニットを全て積み上げた状態を示す概略説明図である。
【図４】従来の工法でユニットを吊り上げる状態を示す概略説明図である。
【手続補正１７】
【補正対象書類名】図面
【補正対象項目名】図４
【補正方法】変更
【補正の内容】
【図４】
2010047957.tif 000001
【手続補正１８】
【補正対象書類名】図面
【補正対象項目名】図５
【補正方法】削除
【補正の内容】